(57)【要約】【課題】本体内部に収容されたティッシュペーパーの残り枚数が少なくなっても引出口で確実に保持し、引出口から数枚ずつ確実に取り出すことができるようにしたティッシュボックスを提供する。【解決手段】厚紙で箱型からなる本体１の収容室２にティッシュペーパーＢを収容し、上面部３に形成された引出口１０からティッシュペーパーＢを数枚ずつ取り出すようにしたティッシュボックスＡにおいて、前記本体１の上面部３には、引出口１０が形成された蓋部材７が貼り付けられ、該蓋部材７は溶断により引出口１０が形成されたフィルム８からなり、ティッシュペーパーＢは蓋部材７の引出口１０で保持されるようにした。【選択図】  図１
2004203483.tif 000002
【特許請求の範囲】
【請求項１】
厚紙で箱型からなる本体の収容室にティッシュペーパーを収容し、上面部に形成された引出口からティッシュペーパーを数枚ずつ取り出すようにしたティッシュボックスにおいて、前記本体の上面部には、引出口が形成された蓋部材が貼り付けられ、該蓋部材は溶断により引出口が形成されたフィルムからなり、ティッシュペーパーは蓋部材の引出口で保持されるようにしたことを特徴とするティッシュボックス。
【請求項２】
前記蓋部材の引出口は、向かい合う互いの端縁を凹凸状に形成したことを特徴とする請求項１記載のティッシュボックス。
【請求項３】
厚紙で箱型からなる本体の収容室にティッシュペーパーを収容し、上面部に形成された引出口からティッシュペーパーを数枚ずつ取り出すようにしたティッシュボックスにおいて、前記本体の上面部には、引出口が形成された蓋部材が貼り付けられ、該蓋部材は複数枚のフィルムを上下に重ね合わせ、引出口と向かい合う互いの端縁を凹凸状に形成し、ティッシュペーパーは蓋部材の引出口で保持されるようにしたことを特徴とするティッシュボックス。
【請求項４】
厚紙で箱型からなる本体の収容室にティッシュペーパーを収容し、上面部に形成された引出口からティッシュペーパーを数枚ずつ取り出すようにしたティッシュボックスにおいて、前記本体の上面部には、引出口が形成された蓋部材が貼り付けられ、該蓋部材は布素材からなり、引出口と向かい合う互いの端縁を凹凸状に形成し、ティッシュペーパーは蓋部材の引出口で保持されるようにしたことを特徴とするティッシュボックス。
【請求項５】
前記蓋部材は、複数枚の布素材を上下に重ねて形成されたことを特徴とする請求項４記載のティッシュボックス。
【請求項６】
厚紙で箱型からなる本体の収容室にティッシュペーパーを収容し、上面部に形成された引出口からティッシュペーパーを数枚ずつ取り出すようにしたティッシュボックスにおいて、前記本体の上面部には、引出口が形成された蓋部材が貼り付けられ、該蓋部材はフィルムと紙とを上下に重ね合わせて接着することで形成され、かつ引出口と向かい合う互いの端縁を凹凸状に形成し、ティッシュペーパーは蓋部材の引出口で保持されるようにしたことを特徴とするティッシュボックス。
【請求項７】
前記蓋部材は、引出口の周囲に模様が施されたことを特徴とする請求項１乃至６の何れかに記載のティッシュボックス。
【発明の詳細な説明】
【０００１】
【発明の属する技術分野】
この発明は、ティッシュペーパーが収容されるティッシュボックスに関し、さらに詳しくは、本体の内部に収容されたティッシュペーパーを、数枚ずつ確実に取り出すことができるようにしたティッシュボックスに関するものである。
【０００２】
【従来の技術】
従来から一般に使用されているティッシュボックスは、厚紙からなる本体の内部に、所定寸法で所定枚数のティッシュペーパーが上下に積層された状態で収容されており、本体の上面部略中央には開口孔が形成され、該開口孔の内面には、ティッシュペーパーが外気の湿気等により変質することがなく、しかもほこり等が内部に侵入することがないようにするために、透明で合成樹脂製のフィルムが貼り付けてある。このフィルムには、ティッシュペーパーの一部を指で摘んで数枚ずつ順に取り出すための直線状の引出口が、刃物等の切断により形成されており、該引出口から飛び出したティッシュペーパーの一部を指で摘んで取り出すことができるようにしている。そしてティッシュペーパーを１枚又は２枚取り出すと、続いて次のティッシュペーパーの一部が連り上がり、引出口から飛び出して次の取り出しを容易に行なえるようにしている。しかしながら本体内部に収容されているティッシュペーパーの残り枚数が少なくなると、ティッシュペーパーの最上面とフィルムの引出口との上下の間隔が次第に広くなり、直線状の引出口は保持力が弱く、ティッシュペーパーを保持することができずに落下してしまうため、引出口から指を本体の内部に入れてティッシュペーパーを摘み出す必要があり、不便なものであった。
【０００３】
そこで、ティッシュペーパーの残り枚数が少なくなっても、フィルムの引出口からティッシュペーパーが落下しないようにしたティッシュボックスが公知である。（例えば、特許文献１参照。）そして、この特許文献１について図７により簡単に説明すると、ティッシュペーパー３９が収容されるティッシュボックス４０は、その上面部４１には開口孔４２が形成され、該開口孔４２を覆うようにして合成樹脂製のフィルム４３が貼り付けられている。該フィルム４３にはティッシュペーパー３９を取り出すための引出口４４が形成されており、該引出口４４と向かい合う互いの端縁を凹凸状としたことにより、ティッシュペーパー３９の保持力が増加し、引出口４４から容易に落下しないようにしたものである。しかし、フィルムは軟質の合成樹脂製で肉厚が薄いため、ティッシュペーパーをティッシュボックスの内部から取り出す際に、ティッシュペーパーを指で摘んで勢いよく引っ張ると簡単に裂けてしまったり、また、ティッシュペーパーが通過する際に折れ曲がり、そのまま引出口が元の凹凸状に戻らなくなり、次に連り上がるティッシュペーパーを引出口で確実に保持することができず、ティッシュボックスの内部に落下してしまうという問題があった。
【０００４】
また、開口孔に合成樹脂製のフィルムを貼り付けず、厚紙からなる上面部に直接凹凸状の引出口を形成したものも公知であるが、厚紙の素材では弾性力を備えていないため、ティッシュペーパーが通過する際に折れ曲がると元の形状に戻らず、ティッシュペーパーを引出口で確実に保持できるものではなかった。
【０００５】
【特許文献１】
特開平９−３２３７７１号公報（第２−第３頁、第１図）
【０００６】
【発明が解決しようとする課題】
本発明は、本体内部に収容されたティッシュペーパーの残り枚数が少なくなっても引出口で確実に保持し、引出口から数枚ずつ確実に取り出すことができるようにしたティッシュボックスを提供することを課題とするものである。
【０００７】
【課題を解決するための手段】
本発明は請求項１では、厚紙で箱型からなる本体の収容室にティッシュペーパーを収容し、上面部に形成された引出口からティッシュペーパーを数枚ずつ取り出すようにしたティッシュボックスにおいて、前記本体の上面部には、引出口が形成された蓋部材が貼り付けられ、該蓋部材は溶断により引出口が形成されたフィルムからなり、ティッシュペーパーは蓋部材の引出口で保持されるようにしたものである。
【０００８】
請求項２では、請求項１の発明において、前記蓋部材の引出口は、向かい合う互いの端縁を凹凸状に形成したものである。
【０００９】
請求項３では、厚紙で箱型からなる本体の収容室にティッシュペーパーを収容し、上面部に形成された引出口からティッシュペーパーを数枚ずつ取り出すようにしたティッシュボックスにおいて、前記本体の上面部には、引出口が形成された蓋部材が貼り付けられ、該蓋部材は複数枚のフィルムを上下に重ね合わせ、引出口と向かい合う互いの端縁を凹凸状に形成し、ティッシュペーパーは蓋部材の引出口で保持されるようにしたものである。
【００１０】
請求項４では、厚紙で箱型からなる本体の収容室にティッシュペーパーを収容し、上面部に形成された引出口からティッシュペーパーを数枚ずつ取り出すようにしたティッシュボックスにおいて、前記本体の上面部には、引出口が形成された蓋部材が貼り付けられ、該蓋部材は布素材からなり、引出口と向かい合う互いの端縁を凹凸状に形成し、ティッシュペーパーは蓋部材の引出口で保持されるようにしたものである。
【００１１】
請求項５では、請求項４の発明において、前記蓋部材は、複数枚の布素材を上下に重ねて形成されたものである。
【００１２】
請求項６では、厚紙で箱型からなる本体の収容室にティッシュペーパーを収容し、上面部に形成された引出口からティッシュペーパーを数枚ずつ取り出すようにしたティッシュボックスにおいて、前記本体の上面部には、引出口が形成された蓋部材が貼り付けられ、該蓋部材はフィルムと紙とを上下に重ね合わせて接着することで形成され、かつ引出口と向かい合う互いの端縁を凹凸状に形成し、ティッシュペーパーは蓋部材の引出口で保持されるようにしたものである。
【００１３】
請求項７では、請求項１乃至６の発明において、前記蓋部材は、引出口の周囲に模様が施されたものである。
【００１４】
【発明の実施の形態】
以下、本発明の実施の形態を図に基づいて詳細に説明する。
本発明の第１実施例は図１に示すように、ティッシュボックスＡの本体１は厚紙からなるものであり、ティッシュペーパーＢを収容するための収容室２が形成された長方形の箱型で、上部に形成された上面部３と、下部に形成された底面部（図示省略）と、上面部３の長辺側の２側縁から下方に垂下した一対の第１側面部５，５と、上面部３の短辺側の２側縁から下方に垂下した一対の第２側面部６，６とを備えている。前記本体１の収容室２には、２００枚程のティッシュペーパーＢが折り畳まれた状態で、上下に重ね合わせて収容されたものであり、上部に形成された上面部３の略中央に楕円形の開口孔４が穿設されており、該開口孔４には上面部３の裏側から蓋部材７が貼り付けられ、該蓋部材７として透明で合成樹脂製であるフィルム８が貼り付けられている。該フィルム８は例えばポリエチレン，ポリ塩化ビニール，その他の薄厚の合成樹脂製で、略中央部に引出口１０が長辺側の長さ方向に沿って形成されており、この引出口１０から本体１の収容室２に収容されたティッシュペーパーＢを、１枚又は２枚の数枚ずつ順に取り出すことができるようにしている。そして、引出口１０からティッシュペーパーＢを数枚取り出すと、続いて次のティッシュペーパーＢの一部が連り上がり、引出口１０から飛び出すようになっている。
【００１５】
図２及び図３に示すように、前記蓋部材７であるフィルム８は薄肉の合成樹脂製で、例えば超音波加工装置により一部をジグザグや波形の凹凸状に溶断して、その切口に引出口１０が形成され、その溶断されたフィルム８の互いの端縁に弾性片９，９が形成される。
【００１６】
超音波加工装置により溶断する技術に関しては、本出願人が先に出願した特公平３−４２３４４号公報により既に公知であり、超音波振動による熱溶融により、フィルム８の一部が凹凸状に溶断され、引出口１０が形成される。なお、フィルムの溶断は超音波加工装置によるものだけでなく、例えばヒーターによるものなど、他の方法を用いてもよい。また、凹凸状の形状は、ティッシュペーパーの上下への移動に対して引出口で抵抗を増大することのできるものであれば、ジグザグ，波形，鋸歯形，その他どのような形状でもよく、特に限定されるものではない。さらに引出口１０の周囲で互いに向かい合うフィルム８の弾性片９，９は凹凸状に噛み合い、繊細で深みがあり凹凸に富む、装飾性の優れた模様Ｃの形成が行なわれるものである。
【００１７】
このようにフィルムを溶断することで、蓋部材の引出口はフィルムの端縁が凝固して厚みが倍程に増して弾性片が形成され、端縁の強度が向上するうえ、弾力性や柔軟性を備えるようにしている。しかも、引出口の周囲に模様を施しているので、引出口の周囲で弾性片のみさらに厚みが増すと同時に、こしが強くなるため硬くなることで強度が向上し、ティッシュペーパーが落下しないように弾力的に挟みつけることができるものである。
【００１８】
前記弾性片９，９は、本実施例では引出口１０のうち略中央部のみに形成し、両端は直線状としている。なお、弾性片は引出口の一端から他端まで多数連続して形成してもよい。また、模様の形状は任意に変更可能である。
【００１９】
従って、本体１の収容室２に収容されているティッシュペーパーＢが蓋部材７の引出口１０を通過する際に、フィルム８の凹凸状に形成された弾性片９，９が適度に変形して、厚みのある弾性片９，９がティッシュペーパーＢを弾力的に挟みつける。そして、ティッシュペーパーＢは指で摘んで引っ張れば、弾性片９，９との抵抗に抗して引出口１０から連り上がり容易に引き出すことができるが、次に引出口１０を通過するティッシュペーパーＢは、弾性片９，９により弾力的に挟みつけられて保持され、引出口１０から一緒に引き出されてしまうのを確実に防止することができる。
【００２０】
また、収容室２に収容されたティッシュペーパーＢの残り枚数が次第に少なくなり、ティッシュペーパーＢの最上面と引出口１０との上下の間隔が広くなっても、ティッシュペーパーＢはフィルム８の厚みを備えた弾性片９，９により弾力的に挟みつけられているため、引出口１０で確実に保持され、容易に落下することがないようにされている。そして、引出口１０から飛び出したティッシュペーパーＢを指で摘んで、容易に取り出すことができるものである。
【００２１】
本発明のティッシュボックスＡからティッシュペーパーＢを取り出すには、蓋部材７の引出口１０で弾性片９，９により保持されているティッシュペーパーＢの上部を指で摘んで引き出せばよい。この時、ティッシュボックスＡの収容室２に収容されている次のティッシュペーパーＢも、続いて引出口１０から引き出されるように連り上がるが、フィルム８に形成された弾性片９，９は、ティッシュペーパーＢが引出口１０を通過する際に弾力的に変形してティッシュペーパーＢを挟みつけて保持し、ティッシュペーパーＢが引出口１０から落下することがない。
【００２２】
図４は本発明の第２実施例によるティッシュボックスに貼り付けられる蓋部材である。この実施例では、蓋部材７ａであるフィルム８ａは同一の材質である薄肉の合成樹脂製で複数枚からなり、本実施例では２枚のフィルム８ａ，８ａを互いに上下に重ね合わせて、例えば超音波加工装置により一部をジグザグや波形の凹凸状に溶断して、その切口に引出口１０ａが形成され、その溶断された２枚のフィルム８ａ，８ａの端縁を溶着することで弾性片９ａ，９ａが形成される。さらに引出口１０ａの周囲で弾性片９ａ，９ａには、図２に示すようにエンボス加工方法により繊細で深みがあり凹凸に富む、装飾性の優れた模様Ｃの形成が行なわれるものである。なお、ティッシュボックスの構成については前記実施例と同一であるので、その説明を省略する。
【００２３】
このように複数枚のフィルムを上下に重ね合わせて溶着することで蓋部材の厚みが増し、フィルムの強度が向上するうえ、弾力性や柔軟性を備えるようにしている。しかも、引出口の周囲に模様を施しているので、引出口の周囲のみさらに厚みが増すと同時に、こしが強くなるため硬くなることでフィルムの強度が向上し、ティッシュペーパーが落下しないように弾力的に挟みつけることができる。
【００２４】
図５は本発明の第３実施例によるティッシュボックスに貼り付けられる蓋部材である。この実施例では、ティッシュボックスＡの上面部３には合成樹脂製のフィルムからなる蓋部材に代えて、合成繊維，天然繊維，不織布，その他の弾力性を備えた布素材１１からなる蓋部材７ｂを上面部３の開口孔４に貼り付けている。布素材１１は、例えば超音波加工装置により凹凸状に溶断して、その切口に引出口１３が形成され、その溶断した端縁を溶着することで弾性片１２，１２が形成される。布素材は前述した超音波加工装置及びエンボス加工方法により溶断，溶着及び模様Ｃの形成が行なわれるものであるが、他の切断方法である例えば裁断と比較して、切口にほつれ止め加工がされるので装飾性が優れるうえ、糸屑等が発生せず、製造が容易でコストを低減することができるものである。なお、布素材は多数枚を上下に重ね合わせて熱溶断及び熱溶着を行なうことでさらに厚みが増し、強度が向上する。
【００２５】
この実施例においても、布素材からなる蓋部材は、ティッシュペーパーが引出口を通過する際に弾力的に変形してティッシュペーパーを挟みつけて保持し、ティッシュペーパーが引出口から落下することがない。
【００２６】
図６は本発明の第４実施例によるティッシュボックスに貼り付けられる蓋部材である。この実施例では、合成樹脂製のフィルムに代えて、フィルム８ｂと紙１４とを上下に重ね合わせ、互いを接着剤１７により接着した蓋部材７ｃを上面部３の開口孔４に貼り付けている。紙１４は、硬質の厚紙からなる本体１と比較して薄く、軟質である。蓋部材７ｃの引出口１６は、例えば超音波加工装置により凹凸状に溶断することで、フィルム８ｂ及び紙１４に弾性片９ｂ，１５が形成される。蓋部材７ｃは前述した超音波加工装置及びエンボス加工方法により溶断，溶着及び模様Ｃの形成が行なわれる。
【００２７】
この実施例においても、フィルムと紙とを上下に重ね合わせて形成された蓋部材の弾性片は、ティッシュペーパーが引出口を通過する際に弾力的に変形してティッシュペーパーを挟みつけて保持し、ティッシュペーパーが引出口から落下することがない。
【００２８】
【発明の効果】
本発明のティッシュボックスでは、本体の収容室に収容されたティッシュペーパーの残り枚数が少なくなり、引出口との上下の間隔が広くなっても、引出口から落下することがなく確実に保持されており、収容室からティッシュペーパーを容易に取り出すことができ、使い勝手が大幅に向上する。
【００２９】
また、蓋部材は引出口の周囲に模様が施されたので、ティッシュボックスの装飾性が大幅に向上するうえ、引出口の周囲の強度がさらに向上し、引出口からティッシュペーパーが落下しないように保持することができる。
【図面の簡単な説明】
【図１】本発明の第１実施例によるティッシュボックスの斜視図である。
【図２】図１によるティッシュボックスの蓋部材の拡大平面図である。
【図３】図１によるティッシュボックスの蓋部材の拡大説明図である。
【図４】本発明の第２実施例によるティッシュボックスによる蓋部材の説明図である。
【図５】本発明の第３実施例によるティッシュボックスによる蓋部材の説明図である。
【図６】本発明の第４実施例によるティッシュボックスによる蓋部材の説明図である。
【図７】従来技術の説明図である。
【符号の説明】
１                          本体
２                          収容室
３                          上面部
７，７ａ，７ｂ，７ｃ        蓋部材
８，８ａ，８ｂ，            フィルム
１０，１０ａ，１３，１６    引出口
１１                        布素材
１４                        紙
Ａ                          ティッシュボックス
Ｂ                          ティッシュペーパー
Ｃ                          模様
【図１】
2004203483.tif 000003
【図２】
2004203483.tif 000004
【図３】
2004203483.tif 000005
【図４】
2004203483.tif 000006
【図５】
2004203483.tif 000007
【図６】
2004203483.tif 000008
【図７】
2004203483.tif 000009